(57)【要約】【課題】映像ソース自体の配信レートや画質を変更することなく、注目映像を高レートかつ高画質で表示し、注目映像以外の映像を低レートかつ低画質で表示することにより、システム全体として映像表示に関する処理負荷を軽減することができる映像表示システムを提供する。【解決手段】映像データ４を配信する複数の映像配信装置１と、複数の映像配信装置１から受信された映像データ４のうち注目映像の選択を受け付け、注目映像であるか否かに応じて受信された映像データ４の映像表示するデータ量を削減する映像受信装置２とを備える。【選択図】図２
2007201816.tif 000002
【特許請求の範囲】
【請求項１】
映像データを配信する複数の映像配信装置と、
前記複数の映像配信装置から受信された映像データのうち注目映像の選択を受け付け、前記注目映像であるか否かに応じて前記受信された映像データの映像表示するデータ量を削減する映像受信装置とを備えた映像表示システム。
【請求項２】
映像受信装置は、注目映像として選択されない映像データの画像から画素を間引く又は受信フレームからフレーム画像を間引く処理を実行して映像表示するデータ量を削減することを特徴とする請求項１記載の映像表示システム。
【請求項３】
映像受信装置は、注目映像であるか否かに応じて映像データの画像から間引く画素数を変更することにより、映像の表示サイズを変更することを特徴とする請求項１記載の映像表示システム。
【請求項４】
複数の映像配信装置から配信される映像データを受信する受信部と、
前記受信部により受信された映像データを復号する復号部と、
前記復号部により復号された映像データから表示用データを生成する表示部と、
前記表示部により生成された表示用データを用いて前記複数の映像配信装置からの各映像データを表示画面上に表示する合成表示部と、
前記受信部により受信された映像データのうち注目映像の選択を受け付け、前記受信部、前記復号部及び前記表示部のうちのいずれかを制御して、前記注目映像であるか否かに応じて前記受信された映像データの映像表示するデータ量を削減する制御部とを備えた映像受信装置。
【請求項５】
復号部は、制御部の制御により、復号した映像データのうち注目映像として選択されない映像データの画像から画素を間引いて映像表示するデータ量を削減することを特徴とする請求項４記載の映像受信装置。
【請求項６】
受信部は、制御部の制御により、受信した映像データのうち注目映像として選択されない映像データの受信フレームからフレーム画像を間引いて映像表示するデータ量を削減することを特徴とする請求項４記載の映像受信装置。
【請求項７】
表示部は、制御部の制御により、注目映像であるか否かに応じて映像データの画像から間引く画素数を変更して映像の表示サイズを変更することを特徴とする請求項４記載の映像受信装置。
【発明の詳細な説明】
【技術分野】
【０００１】
この発明は、監視システムやテレビ電話等に利用される複数の映像を表示する映像表示システム及びこれに用いる映像受信装置に関するものである。
【背景技術】
【０００２】
従来の映像表示システムとしては、例えば特許文献１に開示されるものがある。このシステムは、カメラを備えた映像配信装置と、ネットワークを介して映像配信装置からの映像信号を受ける映像受信装置とを備える。この映像受信装置が備える映像表示制御部は、関心度の高い映像については高い表示品質で表示し、関心度の低い映像については表示品質を落として表示すべく各映像の表示仕様を変更して、映像配信装置が備える映像入力部の表示仕様変更テーブルに転送する。映像入力部では、表示仕様変更テーブルの内容に従って、変更された表示仕様に基づいてディジタル映像データを圧縮するように映像圧縮部を制御する。つまり、特許文献１では、映像受信装置側が映像配信装置を制御して所望の映像を取得する。
【０００３】
【特許文献１】特開平６−３２４６６２号公報（第１図）
【発明の開示】
【発明が解決しようとする課題】
【０００４】
従来の映像表示システムでは、映像配信装置における映像ソース自体の配信レートや画質が変更されることから映像配信装置と映像受信装置が１対１の関係であれば問題ない。しかしながら、１対複数の関係である場合、つまり同一ネットワーク上に複数の映像受信装置が存在する場合、ある一つの拠点Ａに設置された映像受信装置では、関心度の高い映像であっても、別の拠点Ｂに設置された映像受信装置では同様に関心度が高い映像であるとは限らない。
【０００５】
その結果、拠点Ａに設置された映像受信装置は、拠点Ｂに設置された映像受信装置で関心度の低い映像として映像配信装置における映像ソースが変更されてしまった映像に対し再び高い表示品質で表示するための映像ソースの変更処理を実行する必要がある。このように映像ソースの変更処理が頻繁に起こると、システム全体で装置のＣＰＵ負荷を軽減することができないという課題があった。また、従来では、映像受信装置側で映像配信装置を直接制御するため、制御すべき映像配信装置を特定する必要があった。
【０００６】
この発明は、上記のような課題を解消するためになされたもので、映像ソース自体の配信レートや画質を変更することなく、注目映像を高レートかつ高画質で表示し、注目映像以外の映像を低レートかつ低画質で表示することにより、システム全体として映像表示に関する処理負荷を軽減することができる映像表示システム及びこれに用いる映像受信装置を得ることを目的とする。
【課題を解決するための手段】
【０００７】
この発明に係る映像表示システムは、映像データを配信する複数の映像配信装置と、複数の映像配信装置から受信された映像データのうち注目映像の選択を受け付け、注目映像であるか否かに応じて受信された映像データの映像表示するデータ量を削減する映像受信装置とを備えるものである。
【発明の効果】
【０００８】
この発明によれば、映像データを配信する複数の映像配信装置と、複数の映像配信装置から受信された映像データのうち注目映像の選択を受け付け、注目映像であるか否かに応じて受信された映像データの映像表示するデータ量を削減する映像受信装置とを備えるので、複数の映像受信装置により映像配信装置における映像ソースが頻繁に変更されることがなく、映像表示システム全体として映像表示の処理負荷を抑えながら注目している映像のみを高品質で表示させることができるという効果がある。
【発明を実施するための最良の形態】
【０００９】
実施の形態１．
先ず、用語について説明する。本発明でいう最高画質とは、受信した映像データに対して画素間引きを実施しないで表示することを意味する。例えば、６４０×４８０ピクセルの映像を受信した場合は、１枚の表示サイズを６４０×４８０ピクセルとして表示する。
【００１０】
また、低画質とは、受信した映像データに対して画素間引きを実施して表示することを意味する。例えば、６４０×４８０ピクセルの映像を受信した場合に１枚の表示サイズを縦横半分に画素を間引いて３２０×２４０ピクセルで表示することになる。なお、低画質と同様に画素を間引くが、その間引き数が少なくしたものを高画質と規定する。高画質としてどれだけ間引き数を減少させるかについては、本映像受信装置２としてコンピュータを機能させるプログラムの内部データとして予め設定しておく。
【００１１】
図１は、この発明の実施の形態１による映像表示システムの概略的な構成を示すブロック図である。本映像表示システムは、複数の映像配信装置１及びこれとネットワーク３を介して接続する複数の映像受信装置２を含んで構成される。映像配信装置１は、撮影した映像データをアナログ−ディジタル変換してネットワーク３上に配信する装置であって、例えば映像データを配信する通信機能を有したネットワークカメラにより具現化される。映像受信装置２は、ネットワーク３上に配信された映像データを受信して表示画面に表示する。
【００１２】
図２は、図１中の映像受信装置の概略的な構成を示すブロック図である。図２において、映像受信装置２は、映像受信部（受信部）５、映像復号化部（復号部）６、映像表示部（表示部）７、映像合成表示部（合成表示部）８、システム制御部（制御部）９及びユーザ制御部（制御部）１０を含んで構成される。映像受信部５は、各映像配信装置１から映像データ４を受信するチャネル毎に設けられ、ネットワーク３上に配信された映像データ４を受信して映像復号化部６に出力する。
【００１３】
映像復号化部６は、映像受信部５毎に設けられ、映像受信部５から入力される映像データ４を復号処理すると共に、復号した映像データ４に対して制御信号１１に基づく指示情報に応じた間引き処理を施して映像表示部７に出力する。映像表示部７は、映像復号化部６毎に設けられ、映像復号化部６により処理された映像データについて画面上の表示枠に合った表示サイズの表示用データを生成し、画像処理の作業エリアである画像メモリ上に展開する。
【００１４】
映像合成表示部８は、各映像表示部７により画像メモリ上に展開された表示用データの映像を、各映像に対応する表示枠を設けたユーザインタフェース画面に表示することにより、１つの表示画面に複数の映像を同時に表示する。システム制御部９は、ユーザ制御部１０からの制御信号１１に従って映像合成表示部８による映像表示を制御する。ユーザ制御部１０は、ユーザインタフェース画面に表示された映像の選択を受け付け、ユーザにより選択された注目映像及び選択されなかった映像に対し、それぞれ対応する所定の画像処理を施して表示させるための制御信号１１を生成してシステム制御部９に出力する。
【００１５】
図３は、実施の形態１によるユーザインタフェース画面の一例を示す図である。映像合成表示部８は、図３に示すように、複数の表示枠を設けたユーザインタフェース画面に、チャネル毎の映像表示部７によりメモリ上に展開された表示用データの映像をそれぞれ表示する。図示の例では、９台の映像配信装置１で撮影されている映像が映像１〜９として表示されている。
【００１６】
また、カメラ選択エリア１２は、複数の表示枠に映像を表示している映像配信装置１の一覧が表示され、例えばマウス等の入力手段により一覧中の映像配信装置１を選択することができる。カメラ選択エリア１２を介して映像配信装置１が選択されると、ユーザ制御部１０は、制御信号１１を生成するイベント処理を実行する。
【００１７】
ユーザは、複数の表示枠にそれぞれ表示される映像を参照しつつ、注目したい映像を撮影している映像配信装置１をカメラ選択エリア１２の一覧から選択することで、注目映像とそれ以外の映像とを異なる品質で表示させることができる。例えば、表示枠１３に表示される映像１〜６，８，９は、注目外の映像として低画質で低品質な表示をさせ、表示枠１４に表示される映像７については、注目映像として最高画質又は高画質で高品質な表示をさせることができる。
【００１８】
次に動作について説明する。
ネットワーク３上に配置された複数の映像配信装置１は、自装置が撮影した映像データをアナログ−ディジタル変換し、ネットワーク３へ配信するために符号化して出力する。ネットワーク３上に配信された映像データ４は、映像受信装置２内の各チャネル毎の映像受信部５に受信される。映像受信部５では、対応して設けられた映像復号化部６に、受信した映像データ４を出力する。
【００１９】
映像復号化部６は、映像受信部５から入力した映像データ４を復号して映像表示部７に出力する。映像表示部７では、映像復号化部６により復号された映像データ４について表示用データを作成して画像メモリ上に展開する。映像合成表示部８は、チャネル毎の映像表示部７によりメモリ上に展開された表示用データの映像を、図３に示すユーザインタフェース画面の複数の表示枠のそれぞれに表示する。このとき、映像合成表示部８は、チャネルに応じて映像を配信している映像配信装置１を特定し、各表示枠に映像を表示している映像配信装置１の一覧をカメラ選択エリア１２に表示する。
【００２０】
ここで、ユーザが、関心の高い、注目したい映像として、複数の表示枠の各々に表示される映像のうちから、例えば表示枠１４の映像７を選択する場合、マウス等の入力手段によりカメラ選択エリア１２の一覧中の映像７に対応する映像配信装置１を選択する。このカメラ選択エリア１２を介した映像配信装置１の選択により、ユーザ制御部１０は、注目映像が映像７である旨を指定する制御信号１１を生成してシステム制御部９に出力する。
【００２１】
注目映像の映像配信装置１を指定する制御信号１１としては、例えば映像配信装置１を識別するカメラ識別子を通知する。カメラ識別子とは、複数の表示枠の各々に表示される映像を撮影している各映像配信装置１に対して割り振った通し番号が考えられる。図３の例で説明すると、複数の表示枠の各々に表示される映像を撮影している映像配信装置１に対し、カメラ識別子として番号１〜９をそれぞれ割り振る。例えば、映像７に対応する映像配信装置１には、カメラ識別子が“７”が割り振られる。このカメラ識別子により、ユーザが選択した映像配信装置１が一意に特定される。
【００２２】
システム制御部９は、ユーザ制御部１０からの制御信号１１により、注目映像が映像７であることを特定すると、注目映像である映像７については最高画質又は高画質で高品質な映像を出力させ、注目映像以外の映像１〜６，８，９については低画質で低品質な映像を出力させる指示情報を生成して映像合成表示部８に出力する。
【００２３】
映像合成表示部８は、システム制御部９からの指示情報に従い、注目映像である映像７のチャネルに対応する映像表示部７には最高画質又は高画質で高品質な映像を出力させる旨の指示情報を出力し、注目映像以外の映像１〜６，８，９の各チャネルに対応する映像表示部７には低画質で低品質な映像を出力させる旨の指示情報をそれぞれ出力する。各映像表示部７は、映像合成表示部８からの指示情報を、対応して設けられた映像復号化部６にそれぞれ出力する。
【００２４】
注目映像として選択された映像７のチャネルに対応する映像復号化部６では、映像表示部７からの指示情報が最高画質で高品質の映像を出力させる旨の指示であった場合、この指示情報に従い、映像受信部５から入力される映像７の映像データ４に間引き処理を施さずにそのまま復号して映像表示部７に出力する。これにより、注目された映像７については、映像配信装置１によって撮影された状態のままでの映像データ４が映像表示部７に出力される。また、映像表示部７からの指示情報が、低画質と比較して画素の間引き数が少ない、いわゆる高画質で映像を出力させる旨の指示であれば、復号した映像データ４に対し、高画質として設定されている間引き数で垂直方向及び水平方向に画素を間引いた映像を作成する。
【００２５】
一方、注目映像以外の映像１〜６，８，９の各チャネルに対応する映像復号化部６では、映像表示部７からの指示情報に従い、映像受信部５から入力される映像１〜６，８，９の映像データ４に対し、低画質として設定されている間引き数で間引き処理を施して各映像表示部７に出力する。例えば、高画質の間引き数よりさらに多い間引き数で、映像受信部５から受信した映像データ４の復号データの画像について垂直方向及び水平方向に画素を間引いて低画質、低品質な映像を作成する。
【００２６】
なお、上述した画素の間引き数等の指示情報の内容は、映像受信装置２としてコンピュータを機能させる制御プログラムの内部データとして当該プログラム内に固定的に保持しておく。この場合、例えばユーザの映像に対する関心度を０か１のディジタル値で表す。これにより、映像合成表示部８又はシステム制御部９が、ユーザにより選択された映像配信装置１からの映像に対して関心度“１”を設定し、関心度の高い注目された映像として映像復号化部６により最高画質か高画質の処理を施す旨の指示情報を出力する。反対に選択されなかった映像に対しては、関心度“０”を設定して関心度の低い注目外の映像として低画質の処理を実行する旨の指示情報を出力する。
【００２７】
このようにして、システム制御部９の制御により、映像合成表示部８から映像表示部７、映像復号化部６へと指示情報を順次転送し、映像復号化部６によって、映像受信部５から入力される映像データ４に対し、ユーザの関心度に応じた映像処理を施す。この映像処理が施された映像データ４は、映像復号化部６から映像表示部７、映像合成表示部８へと逆に転送され、ユーザの関心度に応じた映像品質での表示がなされる。図３の例では、表示枠１４に表示された注目映像である映像７は、最高画質又は高画質で高品質の映像表示がなされ、表示枠１３に表示される注目外の映像１〜６，８，９は、低画質で低品質の表示がなされる。
【００２８】
以上のように、この実施の形態１によれば、映像データ４を配信する複数の映像配信装置１と、複数の映像配信装置１から受信された映像データ４のうち注目映像の選択を受け付け、注目映像であるか否かに応じて受信された映像データ４の映像表示するデータ量を削減する映像受信装置２とを備えるので、注目映像に関しては、映像配信装置１から受信した映像に近い、最高画質又は高画質で高品質の映像を表示し、注目映像以外の映像に関しては、映像復号化部６でデータ量を減らした低画質で低品質の映像を表示することにより、個々の映像受信装置２における映像表示に要するＣＰＵ負荷率を軽減できる。
【００２９】
また、この実施の形態１の特徴として、映像配信装置１における映像ソース自体の画質を変更しないことが挙げられる。これにより、従来のように、拠点Ａに設置された映像受信装置２が、拠点Ｂに設置された映像受信装置２において関心度の低い映像として映像ソースの画質が変更された映像に対し、再び高い表示品質で表示するための画質変更を実行する必要がない。
【００３０】
従って、この実施の形態１では、拠点Ｂに設置された映像受信装置２自身が、受信された関心度の低い映像のデータに対して表示品質を下げる処理を行うことができ、また拠点Ａに設置された映像受信装置２が、受信された同一の映像データに対して高い表示品質で表示するための処理を行うこともできる。このように、映像配信装置における映像ソース自体の画質を変更することがないので、システム全体として映像表示に関する処理負荷を軽減することができる。
【００３１】
なお、上記実施の形態１では、映像合成表示部８から映像表示部７、映像復号化部６へと指示情報を転送する例を示したが、映像合成表示部８から映像復号化部６に対して直接指示情報を出力するようにしてもよい。
【００３２】
実施の形態２．
上記実施の形態１では、映像受信装置側で受信した映像データの映像の画素数を間引くことにより、映像受信装置の処理負荷を軽減する態様を説明したが、本実施の形態２は、映像受信装置側で受信する映像データ自体を間引くことにより、映像受信装置の処理負荷を軽減する。
【００３３】
図４は、この発明の実施の形態２による映像表示システムの映像受信装置の概略的な構成を示すブロック図であり、図１に示したシステムと同様にネットワーク３上に配置される。実施の形態２による映像受信装置２では、映像表示部７が、映像復号化部６ではなく、映像受信部５に映像合成表示部８からの指示情報を出力する。また、映像合成表示部８からの指示情報は、ユーザの関心度に応じて映像受信部５で受信する映像データ自体を間引く処理を施す旨を指示する。なお、図４における他の構成要素について、図１に示したものと同一又はそれに相当する機能を有するものには、同一符号を付して重複する説明は省略する。
【００３４】
本実施の形態２で使用する最高レートとは、受信した映像のフレームを間引かずに表示することを意味する。例えば、１秒間に３０枚の映像データを受信した場合、１秒間に３０回画面更新を実施する。また、低レートとは、受信した映像のフレームを間引いて表示することを意味する。例えば、１秒間に３０枚の映像データを受信した場合に２枚に１枚間引く（破棄する）ことにより、１秒間に１５回画面更新を実施することになる。この場合、フレーム間引き率は０．５である。
【００３５】
なお、低レートと同様にフレーム画像を間引くが、その間引き率を小さくしたものを高レートと規定する。高レートとしてどれだけ間引き率を設定するかについては、本映像受信装置２としてコンピュータを機能させるプログラムの内部データとして予め設定しておく。
【００３６】
次に動作について説明する。
実施の形態２による映像受信装置２も図１と同様にネットワーク３上に配置され、ユーザインタフェース画面も例えば図３と同様なものを表示するので、図４に加え、図１、図３も用いて動作を説明する。
【００３７】
先ず、ネットワーク３上に配置された複数の映像配信装置１は、自装置が撮影した映像データをアナログ−ディジタル変換し、ネットワーク３へ配信するために符号化して出力する。ネットワーク３上に配信された映像データ４は、映像受信装置２内の各チャネル毎の映像受信部５に受信される。映像受信部５では、対応して設けられた映像復号化部６に、受信した映像データ４を出力する。
【００３８】
映像復号化部６は、映像受信部５から入力した映像データ４を復号して映像表示部７に出力する。映像表示部７では、映像復号化部６により復号された映像データ４について、表示用データを生成して画像メモリ上に展開する。映像合成表示部８は、チャネル毎の映像表示部７によりメモリ上に展開された表示用データの映像を、図３に示すユーザインタフェース画面の複数の表示枠のそれぞれに表示する。このとき、映像合成表示部８は、チャネルに応じて映像を配信している映像配信装置１を特定し、各表示枠に映像を表示している映像配信装置１の一覧をカメラ選択エリア１２に表示する。
【００３９】
ここで、ユーザが、関心の高い、注目したい映像として、複数の表示枠の各々に表示される映像のうちから、例えば表示枠１４の映像７を選択する場合、マウス等の入力手段によりカメラ選択エリア１２の一覧中の映像７に対応する映像配信装置１を選択する。このカメラ選択エリア１２を介した映像配信装置１の選択により、ユーザ制御部１０は、注目映像が映像７である旨を指定する制御信号１１を生成してシステム制御部９に出力する。
【００４０】
注目映像の映像配信装置１を指定する制御信号１１としては、例えば映像配信装置１を識別するカメラ識別子を通知する。カメラ識別子とは、複数の表示枠の各々に表示される映像を撮影している各映像配信装置１に対して割り振った通し番号が考えられる。図３の例で説明すると、複数の表示枠の各々に表示される映像を撮影している映像配信装置１に対し、カメラ識別子として番号１〜９をそれぞれ割り振る。例えば、映像７に対応する映像配信装置１には、カメラ識別子が“７”が割り振られる。このカメラ識別子により、ユーザが選択した映像配信装置１が一意に特定される。
【００４１】
システム制御部９は、ユーザ制御部１０からの制御信号１１により、注目映像が映像７であることを特定すると、注目映像である映像７については最高画質又は高画質で高品質な映像を出力させ、注目映像以外の映像１〜６，８，９については低画質で低品質な映像を出力させる指示情報を生成して映像合成表示部８に出力する。
【００４２】
映像合成表示部８は、システム制御部９からの指示情報に従い、注目映像である映像７のチャネルに対応する映像表示部７には最高画質又は高画質で高品質な映像を出力させる旨の指示情報を出力し、注目映像以外の映像１〜６，８，９の各チャネルに対応する映像表示部７には低画質で低品質な映像を出力させる旨の指示情報をそれぞれ出力する。ここまでの処理は、上記実施の形態１と同様である。
【００４３】
本実施の形態２による映像受信装置２では、各映像表示部７が、映像合成表示部８からの指示情報を、対応して設けられた映像受信部５にそれぞれ出力する（図４中に矢印で示す）。
【００４４】
注目映像として選択された映像７のチャネルに対応する映像受信部５では、映像表示部７からの指示情報が最高レートで映像を出力させる旨の指示であった場合、この指示情報に従い、受信した映像７の映像データ４のフレームを間引かずにそのまま映像復号化部６に出力する。これにより、注目された映像７については、映像配信装置１によって撮影された状態のままでの映像データ４が復号され、映像表示部７に出力される。また、映像表示部７からの指示情報が、低レートと比較してフレームの間引き率が小さい、いわゆる高レートで映像を出力させる旨の指示であれば、高レートとして設定されている間引き率で映像フレームを間引いて映像復号化部６に出力する。
【００４５】
一方、注目映像以外の映像１〜６，８，９の各チャネルに対応する映像受信部５では、映像表示部７からの指示情報に従い、受信した映像１〜６，８，９の映像データ４に対して、低レートとして設定されている間引き率でフレーム画像を間引いて各映像復号化部６に出力する。例えば、高レートのフレーム間引き率よりさらに大きい間引き率で、受信した映像データ４のフレーム画像を間引いて映像復号化部６に出力する。これにより、注目外の映像１〜６，８，９については、低レートで映像データ４が復号され、各映像表示部７に出力される。
【００４６】
なお、上述したフレーム間引き率等の指示情報の内容は、映像受信装置２としてコンピュータを機能させる制御プログラムの内部データとして当該プログラム内に固定的に保持しておく。この場合、例えばユーザの映像に対する関心度を０か１のディジタル値で表す。これにより、映像合成表示部８又はシステム制御部９が、ユーザにより選択された映像配信装置１からの映像に対して関心度“１”を設定し、関心度の高い注目された映像として映像受信部５により最高レートか高レートで受信する旨の指示情報を出力する。反対に選択されなかった映像に対しては、関心度“０”を設定して関心度の低い注目外の映像として低レートで受信する旨の指示情報を出力する。
【００４７】
このようにして、システム制御部９の制御により、映像合成表示部８から映像表示部７、映像受信部５へと指示情報を順次転送し、映像受信部５によって、受信された映像データ４に対し、ユーザの関心度に応じたフレーム間引き処理を施す。この処理が施された映像データ４は、映像受信部５から映像復号化部６、映像表示部７、映像合成表示部８へと逆に転送され、ユーザの関心度に応じた映像品質での表示がなされる。図３の例では、表示枠１４に表示された注目映像である映像７は、最高レート又は高レートで高品質の映像表示がなされ、表示枠１３に表示される注目外の映像１〜６，８，９は、低レートで低品質の表示がなされる。
【００４８】
以上のように、この実施の形態２によれば、注目映像に関しては、映像配信装置１から受信した映像に近い、最高レート又は高レートで高品質の映像を表示し、注目映像以外の映像に関しては映像受信部５でデータ量を減らした低レートで低品質の映像を表示することにより、個々の映像受信装置２における映像表示に要するＣＰＵ負荷率を軽減できる。また、映像配信装置１における映像ソース自体の配信レートを変更しないことから、システム全体として映像表示に関する処理負荷を軽減することができる。
【００４９】
なお、上記実施の形態２では、映像合成表示部８から映像表示部７、映像受信部５へと指示情報を転送する例を示したが、映像合成表示部８から映像受信部５に対して直接指示情報を出力するようにしてもよい。
【００５０】
実施の形態３．
本実施の形態３は、ユーザの関心度に応じて映像の表示サイズを調整することにより、映像表示におけるメモリ領域の使用量を制限してメモリ転送の処理負荷を軽減するものである。
【００５１】
図５は、この発明の実施の形態３による映像表示システムの映像受信装置の概略的な構成を示すブロック図であり、図１に示したシステムと同様にネットワーク３上に配置される。実施の形態３による映像受信装置２では、映像合成表示部８が、映像表示部７に指示情報を出力する。また、映像合成表示部８からの指示情報は、映像表示部７に対し、ユーザの関心度に応じた表示サイズに映像データ４をリサイズさせる旨を指示する。なお、図５における他の構成要素について、図１に示したものと同一又はそれに相当する機能を有するものには、同一符号を付して重複する説明は省略する。
【００５２】
図６は、実施の形態３によるユーザインタフェース画面の一例を示す図である。映像合成表示部８は、図６に示すように、複数の表示枠を設けたユーザインタフェース画面に、チャネル毎の映像表示部７によりメモリ上に展開された表示用データの映像をそれぞれ表示する。図示の例では、６台の映像配信装置１で撮影されている映像が映像１〜６として表示されている。
【００５３】
また、カメラ選択エリア１２は、図３に示したものと同様に、複数の表示枠に映像を表示している映像配信装置１の一覧が表示され、例えばマウス等の入力手段により一覧中の映像配信装置１を選択することができる。このカメラ選択エリア１２を介して映像配信装置１が選択されると、ユーザ制御部１０は、制御信号１１を生成するイベント処理を実行する。
【００５４】
ユーザは、複数の表示枠にそれぞれ表示される映像を参照しつつ、注目したい映像を撮影している映像配信装置１をカメラ選択エリア１２の一覧から選択することで、注目映像とそれ以外の映像とを異なる品質で表示させることができる。例えば、表示枠１３に表示される映像１〜５は、注目外の映像として低画質で低品質な表示をさせ、表示枠１３より大きな表示枠１５に表示させる映像６については、注目映像として高画質で高品質な表示をさせる。
【００５５】
次に動作について説明する。
実施の形態３による映像受信装置２も図１と同様にネットワーク３上に配置されるので、図５に加え、図１、図６も用いて動作を説明する。
【００５６】
先ず、ネットワーク３上に配置された複数の映像配信装置１は、自装置が撮影した映像データをアナログ−ディジタル変換し、ネットワーク３へ配信するために符号化して出力する。ネットワーク３上に配信された映像データ４は、映像受信装置２内の各チャネル毎の映像受信部５に受信される。映像受信部５では、対応して設けられた映像復号化部６に、受信した映像データ４を出力する。
【００５７】
映像復号化部６は、映像受信部５から入力した映像データ４を復号して映像表示部７に出力する。映像表示部７では、映像復号化部６により復号された映像データ４について、表示用データを生成して画像メモリ上に展開する。映像合成表示部８は、チャネル毎の映像表示部７によりメモリ上に展開された表示用データの映像を、ユーザインタフェース画面の複数の表示枠のそれぞれに表示する。このとき、映像合成表示部８は、チャネルに応じて映像を配信している映像配信装置１を特定し、各表示枠に映像を表示している映像配信装置１の一覧をカメラ選択エリア１２に表示する。
【００５８】
ここで、ユーザが、関心の高い、注目したい映像として、複数の表示枠の各々に表示される映像のうちから、例えば映像６を選択する場合、マウス等の入力手段によりカメラ選択エリア１２の一覧中の映像６に対応する映像配信装置１を選択する。このカメラ選択エリア１２を介した映像配信装置１の選択により、ユーザ制御部１０は、注目映像が映像６である旨を指定する制御信号１１を生成してシステム制御部９に出力する。
【００５９】
注目映像の映像配信装置１を指定する制御信号１１としては、例えば映像配信装置１を識別するカメラ識別子を通知する。カメラ識別子とは、複数の表示枠の各々に表示される映像を撮影している各映像配信装置１に対して割り振った通し番号が考えられる。図６の例で説明すると、複数の表示枠の各々に表示される映像を撮影している映像配信装置１に対し、カメラ識別子として番号１〜６をそれぞれ割り振る。例えば、映像６に対応する映像配信装置１には、カメラ識別子が“６”が割り振られる。このカメラ識別子により、ユーザが選択した映像配信装置１が一意に特定される。
【００６０】
システム制御部９は、ユーザ制御部１０からの制御信号１１により、注目映像が映像６であることを特定すると、注目映像である映像６については大きな表示サイズで最高画質又は高画質な高品質の映像を出力させ、注目映像以外の映像１〜５については小さな表示サイズで低画質な低品質の映像を出力させる指示情報を生成して映像合成表示部８に出力する。
【００６１】
映像合成表示部８は、システム制御部９からの指示情報に従い、注目映像である映像６のチャネルに対応する映像表示部７には、所定の大きな表示サイズで最高画質又は高画質な高品質の映像を出力させる旨の指示情報を出力し、注目映像以外の映像１〜５の各チャネルに対応する映像表示部７には、所定の小さな表示サイズで低画質な低品質の映像を出力させる旨の指示情報をそれぞれ出力する。
【００６２】
注目映像として選択された映像６のチャネルに対応する映像表示部７では、映像合成表示部８からの指示情報が所定の大きな表示サイズで最高画質な高品質の映像を出力させる旨の指示であった場合、この指示情報に従い、映像復号化部６から入力される映像６の映像データ４について画素の間引き処理を施さず、所定の大きい表示サイズにリサイズした表示用データを生成して画像メモリ上に展開する。また、映像合成表示部８からの指示情報が、低画質と比較して画素の間引き数が少ない、いわゆる高画質で映像を出力させる旨の指示であれば、高画質として設定されている間引き数で垂直方向及び水平方向に画素を間引いて所定の大きい表示サイズにリサイズした表示用データを生成する。
【００６３】
一方、注目映像以外の映像１〜５の各チャネルに対応する映像表示部７では、映像合成表示部８からの指示情報に従い、映像復号化部６から入力される映像１〜５の映像データ４に対し、低画質として設定されている間引き数で画素の間引き処理を施すことによって所定の小さい表示サイズにリサイズした表示用データを生成し画像メモリ上に展開する。例えば、高画質の間引き数よりさらに多い間引き数で、映像復号化部６から入力した映像データ４を垂直方向及び水平方向に画素を間引いて小さい表示サイズの低画質、低品質な映像を作成する。
【００６４】
なお、上述した表示サイズの大きさ及び画素の間引き数等の指示情報の内容は、映像受信装置２としてコンピュータを機能させる制御プログラムの内部データとして当該プログラム内に固定的に保持しておく。この場合、例えばユーザの映像に対する関心度を０か１のディジタル値で表す。これにより、映像合成表示部８又はシステム制御部９が、ユーザにより選択された映像配信装置１からの映像に対して関心度“１”を設定し、関心度の高い注目された映像には、映像表示部７により大きな表示サイズで最高画質か高画質の処理を施す旨の指示情報を出力する。反対に選択されなかった映像に対しては、関心度“０”を設定して関心度の低い注目外の映像として小さな表示サイズで低画質の処理を実行する旨の指示情報を出力する。
【００６５】
このようにして、システム制御部９の制御により、映像合成表示部８から映像表示部７へと指示情報を転送し、映像表示部７が、映像復号化部６から入力される映像データ４に対し、ユーザの関心度に応じた映像処理を施す。この映像処理が施された映像データ４は、映像表示部７の画像メモリ上に展開され、ユーザの関心度に応じた映像品質での表示がなされる。図６の例では、注目映像である映像６は、大きな表示サイズの表示枠１５に表示されて最高画質又は高画質で高品質の映像表示がなされ、小さな表示サイズの表示枠１３に表示される注目外の映像１〜５は、低画質で低品質の表示がなされる。
【００６６】
以上のように、この実施の形態３によれば、注目映像に関しては、映像配信装置１から受信した映像に近い、最高画質又は高画質で高品質の映像を大きな表示サイズで表示し、注目映像以外の映像に関しては、映像受信部５でデータ量を減らした小さい表示サイズで低画質な低品質の映像を表示することにより、表示用データを映像表示部７のメモリ上に展開するにあたり、そのメモリ使用量を軽減することができ、表示用データのメモリ転送に要する処理負荷を軽減することができる。これにより、個々の映像受信装置２における映像表示に要するＣＰＵ負荷率を軽減できる。
【００６７】
また、複数の映像受信装置２が存在しても、上記実施の形態１と同様に、映像配信装置１における映像ソース自体の配信レートや画質を変更しないことから、システム全体として映像表示に関する処理負荷を軽減することができる。
【図面の簡単な説明】
【００６８】
【図１】この発明の実施の形態１による映像表示システムの概略的な構成を示すブロック図である。
【図２】図１中の映像受信装置の概略的な構成を示すブロック図である。
【図３】実施の形態１によるユーザインタフェース画面の一例を示す図である。
【図４】この発明の実施の形態２による映像表示システムの映像受信装置の概略的な構成を示すブロック図である。
【図５】この発明の実施の形態３による映像表示システムの映像受信装置の概略的な構成を示すブロック図である。
【図６】実施の形態３によるユーザインタフェース画面の一例を示す図である。
【符号の説明】
【００６９】
１  映像配信装置、２  映像受信装置、３  ネットワーク、４  映像データ、５  映像受信部（受信部）、６  映像復号化部（復号部）、７  映像表示部（表示部）、８  映像合成表示部（合成表示部）、９  システム制御部（制御部）、１０  ユーザ制御部（制御部）、１１  制御信号。
【図１】
2007201816.tif 000003
【図２】
2007201816.tif 000004
【図３】
2007201816.tif 000005
【図４】
2007201816.tif 000006
【図５】
2007201816.tif 000007
【図６】
2007201816.tif 000008